(57)【要約】      （修正有）【課題】衣服を挟まずにシートベルトを装着できるバリアー板付きクッションを提供する。【解決手段】クッションの左右のいずれか一方に板を接合する。板は、板状の柔らかい樹脂を中央部分で９０度に曲げて２面とし、その内の１面にクッションと貼り合せるための糊面を設ける。【選択図】図１
0003170668.tif 000002
【実用新案登録請求の範囲】
【請求項１】
本考案の衣服巻き込みバリヤー板付きクッションは、衣服巻き込みバリヤー板とクッションが一体となるように制作されたもので、車の座席に置くだけの設置操作が簡単で衣服は衣服巻き込みバリヤー板（２）でさえぎられ、容易にシートベルトの脱着を可能とするものである。
【請求項２】
衣服巻き込みバリヤー板とクッションを別物として切り離し、衣服巻き込みバリヤー板（２）の下方に設けられた糊面（４）が他の多種なクッションと、貼り合わせることにより、一体となるように考案されたもので、［請求項１］と同じく設置操作が簡単で容易にシートベルトの脱着を可能とするものである。
【考案の詳細な説明】
【技術分野】
【０００１】本考案は、シートベルト装着時において、車の受け入れホルダーに衣服を巻き込みやすく、衣服の損傷を気にして、急ぐ時などかえって時間がかかるなどのトラブルを解消する物である。
【背景技術】
【０００２】  従来のシートベルト装着と言えば、衣服が車の受け入れホルダーの上に被った状態で、衣服をはね除けはね除け受入ホルダーを探し、無理矢理はめ込むのが日常の姿であった。
【考案の開示】
【考案が解決しようとする課題】
【０００３】  そこで、衣服は受入ホルダーの上に被るのが当然であるが、衣服が受入ホルダーの上に被りにくく、シートベルト装着時に衣服を挟まない工夫が課題となる。
【課題を解決するための手段】
【０００４】  上記課題を達成するために、仕切りを設けることとし、本考案は、使用者側に衣服巻き込みバリヤー板を考案した。つまり、衣服巻き込みバリヤー板付きクッションの設置である。つまり、クッションの一方に壁を作ってみた。
【考案の効果】
【０００５】  本考案は、上述の通り構成されているので、次に記載する効果を奏する。
本考案の衣服巻き込みバリヤー板付きクッションを使用することにより、衣服を挟まずシートベルトを装着出来るのである。
【考案を実施するための最良の形態】
【０００６】  本考案の衣服巻き込みバリヤー板付きクッションは、運転席や助手席でシートベルト装着時に、衣服を挟まないでスムースにシートベルトを着用出来るようにした。理解しやすく言えば、座席に用いる座布団に相当するクッションのチェンジレバー側に、壁を設けたものである。助手席は、助手席用のクッションに同じくチェンジレバー側に壁を設けたものを運転席同様にして使用する。衣服が受入ホルダーの上に被りにくく、シートベルト装着時に衣服を挟まない。【０００７】  また、本考案の衣服巻き込みバリヤー板付きクッションは、クッションの一方にバリヤーとなる壁を当初から接合したものと、バリヤーとなる壁の下方に糊面を設け、貼り付けて本来の形にした二通りのものがある。
【実施例】
【０００８】    実施例について図面を参照して説明する。
使用は、運転席又は助手席に、本考案はの、衣服巻き込みバリヤー板付きクッションを設置してシートベルトを着用するときに、衣服巻き込みバリヤー板（２）により衣服はさえぎられ容易に着用できるのである。参考図［図４］。
次に、衣服巻き込みバリヤー板単独のもの［図３］で、バリヤーとなる壁の下方に糊面（４）を設けてあるので、各自のクッションに貼り付けて、本来の形にすることを可能としたもので、使用者が接合させて使用する。参考図［図３］、［図４］の４−２。
【図面の簡単な説明】
【０００９】
【図１】１−１  本考案の、衣服巻き込みバリヤー板付きクッションの右ハンドル用で運転席側から見ての左側面図である。  １−２  本考案の、衣服巻き込みバリヤー板付きクッションの右ハンドル用で運転席側の後面から見た図である。
【図２】本考案の、衣服巻き込みバリヤー板付きクッションの右ハンドル用で運転席側の平面図である。
【図３】本考案の、右ハンドル用で衣服巻き込みバリヤー板、単独のみの図である。  ３−１  正面図  ３−２  右側面図  ３−３  平面図
【図４】本考案の、衣服巻き込みバリヤー板付きクッションの右ハンドル用で運転席側の使用中の斜視図である。  ４−１  使用中の斜視図。  ４−２  衣服巻き込みバリヤー板付きクッションの斜視図である。  衣服巻き込みバリヤー板、単独のみ［図３］をクッションに貼り付けた場合も同型となる図。
【符号の説明】
【０００１０】１  クッション
２  衣服巻き込みバリヤー板
３  クッション接合部
４  糊面
【図１】
0003170668.tif 000003
【図２】
0003170668.tif 000004
【図３】
0003170668.tif 000005
【図４】
0003170668.tif 000006
【手続補正書】
【提出日】平成23年4月21日(2011.4.21)
【手続補正１】
【補正対象書類名】実用新案登録請求の範囲
【補正対象項目名】全文
【補正方法】変更
【補正の内容】
【実用新案登録請求の範囲】
【請求項１】
本考案の衣服巻き込みバリヤー板付きクッションは、従来のクッションの設置と同じように運転席、助手席に設置して使用するが、クッションの一方にバリヤーとなる壁、つまり、衣服巻き込みバリヤー板（２）が当初から弾性に富んだ壁としてクッションと一体として設けらており、［図４］の４−２、シートベルト装着時に、バリヤーとなる壁で衣服が巻き込まれることなく、容易にシートベルトの脱着を可能とすることを特徴とする衣服巻き込みバリヤー板付クッション。
【請求項２】
衣服巻き込みバリヤー板単独の方は、ポリエチレン等の柔らかい樹脂を材料とし、縦２００ミリメートル、横２００ミリメートル、厚さ２ミリメートル程度の板状のものを中央部分で９０度強に曲げ２面としたもので、１面は衣服巻き込みバリヤー板（２）となり、もう一面は、下方に糊面（４）を設け、クッションに貼り付けることを可能とし［図３］、衣服巻き込みバリヤー板（２）の下方に設けられた糊面（４）が、他の多種なクッションと貼り合わせることにより、衣服巻き込みバリヤー板と一体となることで、衣服巻き込みバリヤー板付クッションになるように考案されたもので、シートベルトの装着を容易にすることを特徴とする衣服巻き込みバリヤー板付きクッション。
【手続補正２】
【補正対象書類名】明細書
【補正対象項目名】全文
【補正方法】変更
【補正の内容】
【考案の詳細な説明】
【技術分野】
【０００１】本考案は、車のシートベルト装着時において、シートベルト受け入れホルダーに衣服を巻き込みやすく、衣服の損傷を気にして、急ぐ時などかえって時間がかかるなどのトラブルを解消する物である。
【背景技術】
【０００２】  従来のシートベルト装着と言えば、衣服が車の受け入れホルダーの上に被った状態で、衣服をはね除けはね除け受入ホルダーを探し、無理矢理はめ込むのが日常の姿であった。
【考案の開示】
【考案が解決しようとする課題】
【０００３】  そこで、衣服は受入ホルダーの上に被るのが当然であるが、衣服が受入ホルダーの上に被りにくく、シートベルト装着時に衣服を挟まない工夫が課題となる。
【課題を解決するための手段】
【０００４】  上記課題を達成するために、仕切りを設けることとし、本考案は、使用者側に、衣服巻き込みバリヤー板を考案した。つまり、衣服巻き込みバリヤー板付きクッションの設置である。
【考案の効果】
【０００５】  本考案は、上述の通り構成されているので、次に記載する効果を奏する。  本考案の衣服巻き込みバリヤー板付きクッションを使用することにより、衣服を挟まずシートベルトを装着出来るのである。
【考案を実施するための最良の形態】
【０００６】  本考案の衣服巻き込みバリヤー板付きクッションは、運転席や助手席で、シートベルト装着時に、衣服を挟まないでスムースにシートベルトを着用出来るようにした。理解しやすく言えば、座席に用いる座布団に相当するクッションのチェンジレバー側に、壁を設けたものである。助手席は、助手席用のクッションに同じくチェンジレバー側に壁を設けたものを運転席同様にして使用する。衣服が受入ホルダーの上に被りにくく、シートベルト装着時に衣服を挟まない。【０００７】  また、本考案の衣服巻き込みバリヤー板付きクッションは、使用は同じであるが、制作上２通りある。一つは、クッションの一方に、例えば耳のように、縦１００ミリメートル、横２００ミリメートルの、バリヤーとなるべき弾性に富んだ壁を、ほぼ直角に立ち上げた形となり、当初からクッションと一体として制作されたものである［図４］の４−２。  もう一つは、ポリエチレンなどの柔らかい樹脂を材料とし、縦２００ミリメートル、横２００ミリメートル、厚さ２ミリメートル程度の板状のものを、中央部分で９０度強に曲げ、２面としたものを使用するが、１面は衣服巻き込みバリヤー板の（２）の部分となり、もう一面はクッションと一体となるように、バリヤーとなる壁の下方に糊面（４）を設け［図３］、クッションに貼り付けて使用することで本来の形にしたもの。
【実施例】
【０００８】    実施例について図面を参照して説明する。  使用は、運転席又は助手席に、本考案の、クッションと一体として設けられた衣服巻き込みバリヤー板付きクッションを設置して、シートベルトを着用するときに、衣服巻き込みバリヤー板（２）により衣服はさえぎられ、容易に着用できるのである。参考図［図４］、［図４］の４−２。    次に、衣服巻き込みバリヤー板単独のもの［図３］を、バリヤーとなる壁の下方に糊面（４）を設けてあるので、使用者は各自のクッションに貼り付けて、本来の形にすることを可能としたもので、使用者が接合させて使用する。参考図［図１］、［図３］。  衣服は、衣服巻き込みバリヤー板の（２）によって遮られ、容易にシートベルトを着用することが出来る。
【図面の簡単な説明】
【０００９】
【図１】１−１  本考案の、衣服巻き込みバリヤー板付きクッションの右ハンドル用で運転席側から見ての左側面図である。１−２  本考案の、衣服巻き込みバリヤー板付きクッションの右ハンドル用で運転席側の後面から見た図である。
【図２】本考案の、衣服巻き込みバリヤー板付きクッションの右ハンドル用で運転席側の平面図である。
【図３】本考案の、右ハンドル用で衣服巻き込みバリヤー板、単独のみの図である。３−１  正面図  ３−２  右側面図  ３−３  平面図
【図４】本考案の、衣服巻き込みバリヤー板付きクッションの右ハンドル用で運転席側の使用中の斜視図である。４−１  使用中の斜視図。４−２  衣服巻き込みバリヤー板付きクッションの斜視図である。衣服巻き込みバリヤー板、単独のみ［図３］をクッションに貼り付けた場合と、クッションの一方にバリヤーとなる壁が当初から一体としたもの、も同型となる図。
【符号の説明】
【００１０】  １  クッション  ２  衣服巻き込みバリヤー板  ３  クッション接合部  ４  糊面
【手続補正書】
【提出日】平成23年7月14日(2011.7.14)
【手続補正１】
【補正対象書類名】実用新案登録請求の範囲
【補正対象項目名】全文
【補正方法】変更
【補正の内容】
【実用新案登録請求の範囲】
【請求項１】
クッションの左右のいずれか一方に板を接合することで壁を設けたことを特徴とする、衣服巻き込みバリヤー板付きクッション。
【請求項２】
板状の柔らかい樹脂を中央部分で９０度に曲げて２面とし、その内１面は衣服巻き込み防止のための壁となり、もう１面にはクッションと貼り合わせるための糊面を設けたことを特徴とする、衣服巻き込みバリヤー板。